(57)【特許請求の範囲】
【請求項１】
作業者の右脚に対応した右側拘束部及び左脚に対応した左側拘束部を有し、作業者に装着される拘束部材と、
前記右側拘束部と前記左側拘束部の少なくとも一方に設けられ、作業者の姿勢の変化によって作業者の上半身から下半身にかけてテンションを付与する弾性部材と、
前記拘束部材の下部を前記右側拘束部と前記左側拘束部で左右に分割するスリットと、
前記スリットによる前記右側拘束部と前記左側拘束部の開閉の有無を切り替える閉じ具と
を備えたことを特徴とする動作補助具。
【請求項２】
前記閉じ具は、前記右側拘束部または前記左側拘束部の正面に操作部が設けられ、前記操作部が設けられる側の片手による操作で前記右側拘束部と前記左側拘束部の開閉の有無が切り替えられる
ことを特徴とする請求項１記載の動作補助具。
【請求項３】
前記閉じ具は、前記右側拘束部と前記左側拘束部の左右方向の位置を調整して、左右の前記弾性部材の間隔を調整する調整手段を備えた
ことを特徴とする請求項１または２記載の動作補助具。
【請求項４】
前記拘束部材は、作業者の腹部を締めるベルト部材を備えた
ことを特徴とする請求項１〜請求項３の何れか１項に記載の動作補助具。
【請求項５】
前記弾性部材は、前記拘束部材に対して着脱可能に構成され、前記弾性部材と前記拘束部材は、左右の前記弾性部材の間隔を調整する位置調整手段を備えた
ことを特徴とする請求項１〜請求項４の何れか１項に記載の動作補助具。
【発明の詳細な説明】
【技術分野】
【０００１】
本発明は、前傾姿勢で作業を行う作業者を支える動作補助具に関する。
【背景技術】
【０００２】
従来、上半身を前屈みにする姿勢を続けたり、重量物を上げ、これを保持する動作を行う作業を行う作業者は、腰痛を伴う場合が多い。このため、作業者の体を拘束し、上体体重を保持する器具が提案されている（例えば、特許文献１参照）。
【０００３】
このような補助器具では、作業者の右脚と左脚に合わせてそれぞれ弾性部材を位置させ、作業者が前傾姿勢となると、弾性部材の弾性変形により、上半身の重さを弾性部材を通して下半身に配分、分散させていた。
【先行技術文献】
【特許文献】
【０００４】
【特許文献１】特開２００７−２４７１１０号公報
【発明の概要】
【発明が解決しようとする課題】
【０００５】
従来の補助器具では、作業者の腰部と左右の脚にそれぞれ弾性部材が固定される形態であり、前屈みの姿勢から、しゃがむ姿勢に移る作業では、弾性部材を更に変形させるための力を掛ける必要があり、しゃがむ姿勢に移るために作業者に負担が掛かっていた。
【０００６】
特許文献１に記載の技術では、弾性部材の一部を外すことで、しゃがむ姿勢が取れるようになっているが、弾性部材が弾性変形しているような前屈みの姿勢で、弾性部材の着脱を行うことは容易ではなく、前屈みの姿勢からしゃがむ姿勢に迅速に移るような作業に適用することはできない。
【０００７】
本発明は、このような課題を解決するためになされたもので、作業者の姿勢の変化に容易な操作で迅速に対応可能な動作補助具を提供することを目的とする。
【課題を解決するための手段】
【０００８】
上述した課題を解決するため、本発明は、作業者の右脚に対応した右側拘束部及び左脚に対応した左側拘束部を有し、作業者に装着される拘束部材と、右側拘束部と左側拘束部の少なくとも一方に設けられ、作業者の姿勢の変化によって作業者の上半身から下半身にかけてテンションを付与する弾性部材と、拘束部材の下部を右側拘束部と左側拘束部で左右に分割するスリットと、スリットによる右側拘束部と左側拘束部の開閉の有無を切り替える閉じ具とを備えた動作補助具である。
【０００９】
本発明の動作補助具では、前屈みの姿勢になる場合は、閉じ具により右側拘束部と左側拘束部を閉じた状態とすることで、作業者の上体の重さの一部等が、作業者の姿勢の変化に合わせて変形する弾性部材の弾性力で支えられ、作業者の負担が軽減される。
【００１０】
前屈みの姿勢からしゃがむ姿勢に移る場合、閉じ具を解放することで、弾性部材が復元する力で右側拘束部と左側拘束部のスリットが開き、作業者の膝が、スリットの開いた部分に入り込む。これにより、作業者は、弾性部材を変形させるための力を掛けることなく、しゃがむ姿勢に移ることができる。
【発明の効果】
【００１１】
本発明の動作補助具よれば、簡単な操作で、弾性部材のテンションによる支持が必要な姿勢から、弾性部材のテンションによる支持が不必要な姿勢への変化が、作業者に負担をかけることなく迅速に行える。
【００１２】
また、弾性部材のテンションによる支持が不必要な姿勢から、弾性部材のテンションによる支持が必要な姿勢への変化が、作業者に負担をかけることなく迅速に行える。
【図面の簡単な説明】
【００１３】
【図１】本実施の形態の動作補助具の一例を示す正面図である。
【図２】本実施の形態の動作補助具の一例を示す背面図である。
【図３】本実施の形態の動作補助具の使用形態を示す説明図である。
【図４】弾性部材の一例を示す斜視図である。
【図５】スリット及び閉じ具の一例を示す正面図である。
【図６】本実施の形態の動作補助具の使用例を示す動作説明図である。
【図７】本実施の形態の動作補助具の使用例を示す動作説明図である。
【図８】閉じ具の変形例を示す正面図である。
【発明を実施するための形態】
【００１４】
以下、図面を参照して、本発明の動作補助具の実施の形態について説明する。
【００１５】
＜本実施の形態の動作補助具の構成例＞
図１は、本実施の形態の動作補助具の一例を示す正面図、図２は、本実施の形態の動作補助具の一例を示す背面図、図３は、本実施の形態の動作補助具の使用形態を示す説明図である。
【００１６】
本実施の形態の動作補助具１Ａは、作業者Ｐに巻かれる形態で装着される拘束部材２と、拘束部材２を装着した作業者Ｐの姿勢の変化によって、作業者Ｐの上半身から下半身にかけてテンションを付与する弾性部材３と、作業者Ｐの腹部を締める補助ベルト４を備える。また、動作補助具１Ａは、拘束部材２の正面の下部を開閉するスリット５と、スリット５による拘束部材２の開閉の有無を切り換える閉じ具６Ａを備える。
【００１７】
拘束部材２は、本例では四角形状で、布、ビニール等の可撓性を有した材質で構成される。拘束部材２は、例えば、通気性を有したメッシュ素材の素地が複数枚組み合わされ、所定の形状に構成される。拘束部材２は、正面の上部の２箇所に穴部２０が設けられ、作業者Ｐの首に掛けられる紐２１が、穴部２０に通される。
【００１８】
拘束部材２は、図１に示すように、正面の上部に補助ベルト４が取り付けられる。また、拘束部材２は、図２に示すように、裏面に弾性部材３が着脱される面ファスナ２２が取り付けられる。面ファスナ２２は位置調整手段を構成し、拘束部材２の裏面の左右両側に、それぞれ上下方向に延在する形態で取り付けられる。
【００１９】
すなわち、面ファスナ２２は、作業者Ｐから見て右脚側となる拘束部材２の右側拘束部２３Ｒの裏面と、左脚側となる拘束部材２の左側拘束部２３Ｌの裏面に、上下方向に延在する形態で取り付けられる。
【００２０】
図４は、弾性部材の一例を示す斜視図であり、次に、各図を参照して弾性部材３の構成について説明する。弾性部材３は、棒状バネ３０と、１本あるいは複数本の棒状バネ３０が収容されるケース３１を備える。棒状バネ３０は、図４（ｃ）に示すように、例えば複数本の棒バネが束ねられ、長手方向の両端に保護部３０ａが設けられる。棒バネとして、本例では、超弾性金属と称される、ある一定以上のひずみに対して応力が変化しない金属が用いられ、一定角度の折り曲げで、負荷が一定となるように構成される。
【００２１】
ケース３１は、棒状バネ３０の長手方向に沿った長方形の袋状で、内部に棒状バネ３０を並列して収納可能な空間が形成される。ケース３１は、作業者Ｐと対向する面となる一方の面には、図４（ａ）に示すように、長手方向の一端と他端、本例では上端と下端に保護部材３２が設けられる。また、ケース３１を開閉して棒状バネ３０の出し入れが行われる線ファスナ３３が設けられる。
【００２２】
ケース３１は、拘束部材２に取り付けられる面となる他方の面には、図４（ｂ）に示すように、全面に亘り位置調整手段を構成する面ファスナ３４が設けられる。弾性部材３は、面ファスナ３４が拘束部材２の面ファスナ２２に結合されることで、拘束部材２に着脱可能に固定される。拘束部材２の面ファスナ２２の幅は、弾性部材３の面ファスナ３４の幅より長く構成され、弾性部材３の取り付け位置が、面ファスナ２２の幅の範囲で調整可能となっている。
【００２３】
補助ベルト４は、ベルト部４０と圧迫部４１が、拘束部材２の幅方向である左右方向に延在し、作業者Ｐの腹部に巻き付く長さを有する。補助ベルト４は、輪状としてベルト部４０の先端部４０ａがバックル４２に通されて折り返され、面ファスナ４３と面ファスナ４４が結合されることで、任意の長さに調整される。
【００２４】
図５は、スリット及び閉じ具の一例を示す正面図であり、次に、各図を参照してスリット５及び閉じ具６Ａの構成について説明する。スリット５は、拘束部材２の下部を、右側拘束部２３Ｒと左側拘束部２３Ｌで左右に２分割する。スリット５は、拘束部材２に切れ目を入れて左右に分割する構成でも良いが、本来では、拘束部材２が複数枚の素地の組み合わせで構成され、右側拘束部２３Ｒと左側拘束部２３Ｌが正面で重なる重なり部２３Ｃが構成される。
【００２５】
閉じ具６Ａは、本例では、作業者Ｐの右手で操作を可能とするため、拘束部材２の右側拘束部２３Ｒに、面ファスナ６０とベルト部６１が設けられ、左側拘束部２３Ｌに、ベルト部６１を折り返すバックル６２が設けられる。
【００２６】
面ファスナ６０は調整手段を構成し、右側拘束部２３Ｒの正面に、左右方向に延在して設けられる。ベルト部６１は調整手段を構成し、右側拘束部２３Ｒの正面で面ファスナ６０の一方の端部から左側拘束部２３Ｌに向かって延在し、バックル６２に通されて折り返され、面ファスナ６０に到達する長さを有する。
【００２７】
ベルト部６１は、先端側を輪状として操作部６１ａが設けられる。また、ベルト部６１は、先端側の裏面に所定の長さに亘って面ファスナ６１ｂが設けられる。バックル６２は、左側拘束部２３Ｌと右側拘束部２３Ｒが重なる重なり部２３Ｃで、左側拘束部２３Ｌの裏面に設けられる。閉じ具６Ａは、バックル６２が左側拘束部２３Ｌの裏面に設けられることで、左側拘束部２３Ｌの正面側にバックル６２及びベルト部６１の折り返される部分が露出せず、作業の妨げになることがない。
【００２８】
閉じ具６Ａは、右側拘束部２３Ｒから延在するベルト部６１が、左側拘束部２３Ｌに設けたバックル６２に通されて折り返され、ベルト部６１の面ファスナ６１ｂが右側拘束部２３Ｒの面ファスナ６０に結合されることで、右側拘束部２３Ｒと左側拘束部２３Ｌが閉じた状態で保持される。
【００２９】
また、閉じ具６Ａは、操作部６１ａが引かれることで、ベルト部６１の面ファスナ６１ｂと右側拘束部２３Ｒの面ファスナ６０が離されて解放され、右側拘束部２３Ｒと左側拘束部２３Ｌが開くことが可能になる。
【００３０】
＜本実施の形態の動作補助具の使用例＞
次に、各図を参照して、本実施の形態の動作補助具１Ａの使用例について説明する。まず、動作補助具１Ａの装着は、補助ベルト４が作業者Ｐの腹部の高さとなるように、紐２１の長さを調整する。
【００３１】
また、拘束部材２と弾性部材３は、面ファスナ２２と面ファスナ３４の結合で着脱可能に取り付けられ、左右方向の位置が調整可能であるので、拘束部材２の右側拘束部２３Ｒに取り付けられる弾性部材３が、右脚の外側の側面から正面側にかけての所望の位置となるように左右方向の位置を調整すると共に、左側拘束部２３Ｌに取り付けられる弾性部材３が、左脚の外側の側面から正面側にかけての所望の位置となるように左右方向の位置を調整する。
【００３２】
そして、紐２１を首に掛け、補助ベルト４及び拘束部材２を体に巻くようにして、補助ベルト４を腹部に巻き付け、補助ベルト４のベルト部４０の先端部４０ａをバックル４２に通して折り返し、腹部を締め付けるような位置で、面ファスナ４３と面ファスナ４４を結合させる。
【００３３】
これにより、動作補助具１Ａは、作業者Ｐの腹部が補助ベルト４の圧迫部４１で圧迫されて腹腔圧が高められた状態で、拘束部材２が作業者Ｐの腰部付近の正面に装着される。
【００３４】
この状態で、作業者Ｐの右脚に対応した拘束部材２の右側拘束部２３Ｒは、作業者Ｐの右脚を正面側から外側の側面側にかけて覆う。また、右側拘束部２３Ｒに取り付けられた弾性部材３は、作業者Ｐの腹部、腰部から右脚の大腿部付近における側面側から正面側にかけての所望の位置、例えば、腹部、腰部から右脚の大腿部付近の側面側、あるいは、側面側から正面側にかけての右斜め前等の略側面側に位置する。
【００３５】
同様に、作業者Ｐの左脚に対応した拘束部材２の左側拘束部２３Ｌは、作業者Ｐの左脚を正面側から外側の側面側にかけて覆う。また、左側拘束部２３Ｌに取り付けられた弾性部材３は、作業者Ｐの腹部、腰部から左脚の大腿部付近における側面側から正面側にかけての所望の位置、例えば、腹部、腰部から左脚の大腿部付近の側面側、あるいは、側面側から正面側にかけての左斜め前等の略側面側に位置する。
【００３６】
図６及び図７は、本実施の形態の動作補助具の使用例を示す動作説明図で、次に、動作補助具１Ａを装着しての作業例について説明する。図６に示すように、介護や農作業、製造業等で前屈みの姿勢で作業を行う場合は、閉じ具６Ａにより右側拘束部２３Ｒと左側拘束部２３Ｌを閉じた状態とする。なお、左右の弾性部材３の間隔は、ベルト部６１の面ファスナ６１ｂと右側拘束部２３Ｒの面ファスナ６０を結合する位置を左右方向でずらすことで調整可能であり、動作補助具１Ａを装着した後の調整が可能である。
【００３７】
動作補助具１Ａは、拘束部材２が作業者Ｐの腹部、腰部から両脚の大腿部にかけて装着される形態で、補助ベルト４により作業者Ｐの腹部付近に締め付けられており、作業者Ｐの腹部付近では、弾性部材３が作業者Ｐに支持されている状態である。
【００３８】
この状態で作業者Ｐが前屈みの姿勢をとると、拘束部材２の右側拘束部２３Ｒに取り付けられた弾性部材３は、作業者Ｐの腹部、腰部から右脚の大腿部付近の略側面側に位置するので、弾性部材３の下端部が背面側に下がろうとする。
【００３９】
拘束部材２は、右側拘束部２３Ｒの下端側がベルト等で作業者Ｐの右脚に固定されてはおらず、弾性部材３の下端部が右脚に直接支持されてはいない。但し、拘束部材２は、右側拘束部２３Ｒと左側拘束部２３Ｌが閉じ具６Ａで閉じた状態であると、右側拘束部２３Ｒと左側拘束部２３Ｌを開くことができない。
【００４０】
従って、右側拘束部２３Ｒに取り付けられた弾性部材３の下端部が背面側に下がろうとする力が、右側拘束部材２３Ｒを介して右脚の前面で受け止められ、弾性部材３が作業者Ｐの前傾する姿勢に合わせて曲げられて弾性変形し、作業者Ｐの上体の荷重が支えられる。
【００４１】
同様に、拘束部材２の左側拘束部２３Ｌに取り付けられた弾性部材３は、作業者Ｐの腹部、腰部から左脚の大腿部付近の略側面側に位置するので、弾性部材３の下端部が背面側に下がろうとするが、右側拘束部２３Ｒと左側拘束部２３Ｌが閉じ具６Ａで閉じた状態であり開くことができない。
【００４２】
従って、左側拘束部２３Ｌに取り付けられた弾性部材３の下端部が背面側に下がろうとする力が、左側拘束部材２３Ｌを介して左脚の前面で受け止められ、弾性部材３が作業者Ｐの前傾する姿勢に合わせて曲げられて弾性変形し、作業者Ｐの上体の荷重が支えられる。
【００４３】
これにより、作業者Ｐが前屈みの姿勢で介護者を支える等、重量物を保持する場合は、作業者Ｐの上半身から下半身にかけて弾性部材３によるテンションが付与されることで、重力物及び作業者Ｐの上体の重さの一部が弾性部材３の弾性力で支えられ、作業者Ｐの下半身に配分、分散される。従って、作業者Ｐの負担が軽減される。
【００４４】
例えば、介護作業では、中腰で介護者をベッドから車椅子に移動させた後、しゃがんで靴を履かせて車椅子のフットレストに足を乗せる等、前屈みの姿勢から、しゃがむ姿勢に移る場合がある。
【００４５】
このように、前屈みの姿勢からしゃがむ姿勢に移る場合、作業者Ｐは、操作部６１ａを引いて閉じ具６Ａを解放する。本例では、閉じ具６Ａは、右側拘束部２３Ｒから延在するベルト部６１が、左側拘束部２３Ｌに設けたバックル６２に通されて折り返され、操作部６１ａが右側拘束部２３Ｒの外側に向けて延在しているので、操作部６１ａを引いてベルト部６１の面ファスナ６１ｂと右側拘束部２３Ｒの面ファスナ６０を離す操作が、片手で容易に行える。
【００４６】
閉じ具６Ａは、操作部６１ａが引かれることで、ベルト部６１の面ファスナ６１ｂと右側拘束部２３Ｒの面ファスナ６０が離されて解放され、拘束部材２は、右側拘束部２３Ｒと左側拘束部２３Ｌが開くことが可能になる。
【００４７】
これにより、閉じ具６Ａを解放して、図７に示すように前屈みの姿勢からしゃがむ姿勢に移ると、拘束部材２の右側拘束部２３Ｒは、弾性部材３の下端部が背面側に下がるような方向へ弾性部材３が復元する力で、右横方向、更には右斜め後ろ方向へ外側に向かって移動すると共に、左側拘束部２３Ｌは、弾性部材３の下端部が背面側に下がるような方向へ弾性部材３が復元する力で、左横方向、更には左斜め後ろ方向へ外側に向かって移動し、スリット５が開く。そして、作業者Ｐの膝が、スリット５の開いた部分に入り込むことで、弾性部材３の弾性力を受けることなく、あるいは、弾性部材３から受ける弾性力が弱い状態で、作業者Ｐは、しゃがむ姿勢に移ることができる。
【００４８】
しゃがんだ姿勢から立つ場合や、前屈みの姿勢に戻る場合は、操作部６１ａでベルト部６１の面ファスナ６１ｂを右側拘束部２３Ｒの面ファスナ６０に結合することで、右側拘束部２３Ｒと左側拘束部２３Ｌが閉じた状態に戻り、作業者Ｐの姿勢によって、作業者Ｐの上半身から下半身にかけて、弾性部材３によって所定のテンションが付与される状態となる。
【００４９】
このように、動作補助具１Ａでは、介護者等を支えるため、前屈みの姿勢になる場合は、閉じ具６Ａにより右側拘束部２３Ｒと左側拘束部２３Ｌを閉じた状態とすることで、介護者の体重及び作業者Ｐの上体の重さの一部が、作業者Ｐの姿勢の変化に合わせて変形する弾性部材３の弾性力で支えられ、作業者Ｐの負担が軽減される。
【００５０】
前屈みの姿勢からしゃがむ姿勢に移る場合、操作部６１ａを引いて閉じ具６Ａを解放することで、弾性部材３が復元する力で右側拘束部２３Ｒと左側拘束部２３Ｌのスリット５が開き、作業者Ｐの膝が、スリット５の開いた部分に入り込む。これにより、作業者Ｐは、弾性部材３の弾性力を受けることなく、あるいは、弾性部材３から受ける弾性力が弱い状態で、更に、弾性部材３を変形させるための力を掛けることなく、しゃがむ姿勢に移ることができる。
【００５１】
拘束部材２の右側拘束部２３Ｒと左側拘束部２３Ｌに取り付けられた弾性部材３が、それぞれ作業者Ｐの両脚の大腿部付近の略側面側に位置する構成では、前屈みの姿勢の作業者Ｐが閉じ具６Ａを解放すると、右側拘束部２３Ｒと左側拘束部２３Ｌを直接操作することなく、弾性部材３の復元力でスリット５が開く。
【００５２】
そして、閉じ具６Ａを解放する操作は、作業者Ｐが片手、本例では右手で操作部６１ａを引くという簡単な操作で行えることから、弾性部材３のテンションによる支持が必要な姿勢から、弾性部材３のテンションによる支持が不必要な姿勢への変化が、作業者Ｐに負担をかけることなく迅速に行える。
【００５３】
同様に、閉じ具６Ａを閉じる操作も簡単な操作で行えることから、弾性部材３のテンションによる支持が不必要な姿勢から、弾性部材３のテンションによる支持が必要な姿勢への変化が、作業者Ｐに負担をかけることなく迅速に行える。
【００５４】
なお、動作補助具１Ａは、補助ベルト４を備えることで、作業者Ｐの腹部が補助ベルト４の圧迫部４１で圧迫されて腹腔圧が高められた状態で装着されるので、上半身で受ける重さを、より積極的に分散することができる。
【００５５】
＜本実施の形態の動作補助具の変形例＞
本実施の形態の動作補助具１Ａでは、弾性部材３が右側拘束部２３Ｒと左側拘束部２３Ｌの両方に取り付けられる例で説明したが、右側拘束部２３Ｒと左側拘束部２３Ｌのどちらか一方にのみ、弾性部材３が取り付けられる構成でも良い。
【００５６】
例えば、拘束部材２の右側拘束部２３Ｒにのみ弾性部材３が取り付けられた構成でも、作業者Ｐが前屈みの姿勢をとると、弾性部材３の下端部が背面側に下がろうとするが、右側拘束部２３Ｒと左側拘束部２３Ｌが閉じ具６Ａで閉じた状態であると、右側拘束部２３Ｒと左側拘束部２３Ｌを開くことができない。
【００５７】
従って、右側拘束部２３Ｒに取り付けられた弾性部材３の下端部が背面側に下がろうとする力が、右側拘束部材２３Ｒを介して右脚の前面で受け止められ、弾性部材３が作業者Ｐの前傾する姿勢に合わせて曲げられて弾性変形し、作業者Ｐの上体の荷重が支えられる。なお、拘束部材２の左側拘束部２３Ｌにのみ弾性部材３が取り付けられた構成でも同様である。
【００５８】
補助ベルト４は、拘束部材２に一体に取り付けられるものではなく、別体であっても良い。また、補助ベルト４を拘束部材２と別体とする場合等では、拘束部材２を作業者に巻かれる形態で装着できるようにするため、圧迫部を有しない通常のベルトや、紐等のベルト部材を設ける構成とすると良い。
【００５９】
閉じ具６Ａは、ベルト部６１の面ファスナ６１ｂと右側拘束部２３Ｒの面ファスナ６０の左右方向の長さの範囲内で、右側拘束部２３Ｒと左側拘束部２３Ｌの重なり部２３Ｃの長さを調整して、左右の弾性部材３の間隔が調整可能であるが、ベルト部６１に長さを調整可能とする調整手段としてアジャスタを設けても良い。
【００６０】
図８は、閉じ具の変形例を示す正面図である。図８に示す変形例の閉じ具６Ｂは、アジャスタ６３により解放可能な構成を備える。すなわち、閉じ具６Ｂは、拘束部材２の右側拘束部２３Ｒにアジャスタ６３で繋がるベルト部６４とベルト部６５が設けられ、左側拘束部２３Ｌに、ベルト部６４を折り返すバックル６６が設けられる。
【００６１】
ベルト部６４は、右側拘束部２３Ｒの正面から左側拘束部２３Ｌに向かって延在し、バックル６６に通されて折り返され、アジャスタ６３が右側拘束部２３Ｒの正面に露出する位置となるような長さを有する。ベルト部６５は、一端がアジャスタ６３に通されると共に、他端が右側拘束部２３Ｒに固定される。
【００６２】
閉じ具６Ｂは、操作部を構成するベルト部６５の一端を引っ張ることで、ベルト部６５の長さが短くなるように調整され、右側拘束部２３Ｒと左側拘束部２３Ｌが閉じた状態で保持される。
【００６３】
また、閉じ具６Ｂは、操作部を構成するアジャスタ６３をベルト部６５の延在方向に対し傾ける等の操作を行うことで、ベルト部６５の長さが長くなるように調整されて解放され、右側拘束部２３Ｒと左側拘束部２３Ｌが開くことが可能になる。また、ベルト部６５及びアジャスタ６３は調整手段を構成し、右側拘束部２３Ｒと左側拘束部２３Ｌの重なり部２３Ｃの長さを調整して、左右の弾性部材３の間隔が調整可能である。
【産業上の利用可能性】
【００６４】
本発明は、介護分野、農業分野、製造業分野等で、上半身を前屈みにする動作、上半身を前屈みにして重量物を保持する動作、しゃがむ動作を行う作業者の動作を補助して負担を軽減する動作補助具に適用される。
【符号の説明】
【００６５】
１Ａ・・・動作補助具、２・・・拘束部材、２２・・・面ファスナ、２３Ｒ・・・右側拘束部、２３Ｌ・・・左側拘束部、３・・・弾性部材、４・・・補助ベルト、５・・・スリット、６Ａ、６Ｂ・・・閉じ具
【図１】
0005365612.tif 000002
【図２】
0005365612.tif 000003
【図３】
0005365612.tif 000004
【図４】
0005365612.tif 000005
【図５】
0005365612.tif 000006
【図６】
0005365612.tif 000007
【図７】
0005365612.tif 000008
【図８】
0005365612.tif 000009